(57)【要約】【課題】  大空間の室内での居住域の温度を適切に検出することが可能となる温度検出部取付構造を提供する。【解決手段】  温度検出部取付構造１００は、温度センサ２と、温度センサ２を支持するセンサ支持部３と、を備える温度検出部１を構造物１０に取り付ける温度検出部取付構造１００であって、構造物１０は、天井側スラブ１１と、天井側スラブに取り付けられる天井パネル部材支持部１５と、天井パネル部材支持部１５に支持される天井パネル部材１２と、を備え、床１３と、センサ支持部３は、天井側スラブ１１に直接又は間接的に支持され、温度センサ２は、天井パネル部材１２の下方に突出し、床１３から2000mm以上に設置されることを特徴とする。【選択図】図３
2018151135.tif 000002
【特許請求の範囲】
【請求項１】
温度センサと、
温度センサを支持するセンサ支持部と、
を備える温度検出部を構造物に取り付ける温度検出部取付構造であって、
前記構造物は、
天井側スラブと、
前記天井側スラブに取り付けられる天井パネル部材支持部と、
前記天井パネル部材支持部に支持される天井パネル部材と、
床と、
を備え、
前記センサ支持部は、前記天井側スラブに直接又は間接的に支持され、
前記温度センサは、
前記天井パネル部材の下方に突出し、
前記床から2000mm以上に設置される
ことを特徴とする温度検出部取付構造。
【請求項２】
前記センサ支持部は、前記天井パネル部材支持部に直接又は間接的に支持される
ことを特徴とする請求項１に記載の温度検出部取付構造。
【請求項３】
前記天井パネル部材は、放射空調パネルであって、
前記温度センサは、前記放射空調パネルから100mmと前記床から2000mmとの間に設置される
ことを特徴とする請求項１又は２に記載の温度検出部取付構造。
【請求項４】
前記センサ支持部は、前記温度センサと前記放射空調パネルとの間に配置される
ことを特徴とする請求項３に記載の温度検出部取付構造。
【請求項５】
前記温度センサと前記放射空調パネルとの間に設けられる覆い部をさらに備える
ことを特徴とする請求項３又は４に記載の温度検出部取付構造。
【発明の詳細な説明】
【技術分野】
【０００１】
本発明は、空調システム等に用いる温度検出器を取り付けるための温度検出部取付構造に関する。
【背景技術】
【０００２】
従来、空調制御用の温度検出器は、室内の居住域の温度を検出していた。例えば、温度検出器は、壁面又は柱のうち、床から1000〜1500mmの居住域レベルに設置されていた。そして、居住域の温度検出器が検出した温度に基づいて、居住域が設定温度となるように空調システムを制御していた。
【０００３】
しかしながら、近年は、図１０に示すように、オフィス等の室内２０は、柱が無い大空間であることが多い。そのため、壁に温度検出部１を設置すると、室内２０のインテリア２１の居住域２１ａの温度を適切に検出できなくなっている。また、ペリメータ２２では、設置した温度検出部１に日射が当たり、高い温度を検出してしまう場合があった。
【０００４】
また、広範囲の温度を検出するために、赤外線センサを回転させて、水平方向の全方位において温度を検出する空調用の温度検出器が開示されている（特許文献１参照）。
【先行技術文献】
【特許文献】
【０００５】
【特許文献１】特開２０１６−８７９６号公報
【発明の概要】
【発明が解決しようとする課題】
【０００６】
しかしながら、特許文献１に記載された温度検出器は、空調機に取り付けられており、空調機から離れた位置の温度を検出することはできない。また、特許文献１に記載された温度検出器は、赤外線センサを回転駆動させなければならず、構造が複雑でコストも高いものであった。
【０００７】
本発明は、大空間の室内での居住域の温度を検出することが可能な温度検出部取付構造を提供することを目的とする。
【課題を解決するための手段】
【０００８】
本発明にかかる温度検出部取付構造は、温度センサと、温度センサを支持するセンサ支持部と、を備える温度検出部を構造物に取り付ける温度検出部取付構造であって、前記構造物は、天井側スラブと、前記天井側スラブに取り付けられる天井パネル部材支持部と、前記天井パネル部材支持部に支持される天井パネル部材と、床と、を備え、前記センサ支持部は、前記天井側スラブに直接又は間接的に支持され、前記温度センサは、前記天井パネル部材の下方に突出し、前記床から2000mm以上に設置されることを特徴とする。
【０００９】
また、本発明にかかる温度検出部取付構造では、前記センサ支持部は、前記天井パネル部材支持部に直接又は間接的に支持されることを特徴とする。
【００１０】
また、本発明にかかる温度検出部取付構造では、前記天井パネル部材は、放射空調パネルであって、
前記温度センサは、前記放射空調パネルから100mmと床から2000mmとの間に設置される
ことを特徴とする請求項１又は２に記載の温度検出部取付構造。
【００１１】
また、本発明にかかる温度検出部取付構造では、前記センサ支持部は、前記温度センサと前記放射空調パネルとの間に配置されることを特徴とする。
【００１２】
また、本発明にかかる温度検出部取付構造は、前記温度センサと前記放射空調パネルとの間に設けられる覆い部をさらに備えることを特徴とする。
【発明の効果】
【００１３】
本発明にかかる温度検出部取付構造によれば、大空間の室内での居住域の温度を適切に検出することが可能となる。
【図面の簡単な説明】
【００１４】
【図１】本実施形態の温度検出部取付構造を示す。
【図２】本実施形態の温度検出部の室内の配置を示す。
【図３】第１実施形態の温度検出部取付構造を示す。
【図４】第２実施形態の温度検出部取付構造を示す。
【図５】天井に放射空調パネルを用いた夏期の室内の垂直温度分布を示す。
【図６】天井に放射空調パネルを用いた冬期の室内の垂直温度分布を示す。
【図７】第１実施形態の温度検出部の他の例を示す。
【図８】第１実施形態の温度検出部に覆い部を用いた例を示す。
【図９】第２実施形態の温度検出部に覆い部を用いた例を示す。
【図１０】近年の温度検出部の室内の配置を示す。
【発明を実施するための形態】
【００１５】
以下、図面を参照して本発明にかかる一実施形態の温度検出部取付構造１００を説明する。
【００１６】
図１は、本実施形態の温度検出部取付構造１００を示す。図２は、本実施形態の温度検出部１の室内２０の配置を示す。
【００１７】
本実施形態の温度検出部取付構造１００では、図１に示すように、温度検出器２を含む温度検出部１が天井側スラブ１１を含む構造物１０に取り付けられる。天井側スラブ１１は上階の床側スラブでもよい。天井側スラブ１１の下方には、天井パネル部材１２が設置される。床１３は、床側スラブ１４に支持されている。
【００１８】
本実施形態の温度検出部１は、天井側スラブ１１に直接又は間接的に支持される。温度センサ２は、天井パネル部材１２の下方に突出する。天井パネル部材１２として放射空調パネル１２ａを用いてもよい。
【００１９】
図２に示すように、本実施形態の温度検出部１は、室内２０のインテリア２１の居住域２１ａ内の天井側スラブ１１に取り付けられるとよい。また、ペリメータ２２では、日射が直接当たらない位置に取り付けられるとよい。
【００２０】
温度検出部１の温度センサ２は、その測定値に応じて、図示しない空調機等を制御するものとして使用されればよい。空調機は、対流式空調機又は放射式空調機どちらでもよい。
【００２１】
図３は、第１実施形態の温度検出部取付構造１００を示す。
【００２２】
第１実施形態の温度検出部取付構造１００における構造物１０は、図１に示した天井側スラブ１１に取り付けられ、天井パネル部材１２を支持するＴバー等のパネル部材支持部１５と、パネル部材支持部１５に支持され、温度検出部１が取り付けられる取付治具１６と、を備える。なお、取付治具１６をパネル部材支持部１５と一体に形成してもよい。また、パネル部材支持部１５とは別に、取付治具１６を天井側スラブ１１に直接取り付けてもよい。
【００２３】
温度検出部１は、温度センサ２と、温度センサ２を支持するセンサ支持部材３と、温度センサ２につながるケーブル４と、を有する。温度センサ２は、センサ支持部材３の先端に取り付けられる。センサ支持部材３は、取付治具１６に取り付けられる。
【００２４】
第１実施形態のセンサ支持部材３は、水平方向に延びるように、取付治具１６に取り付けられる。ケーブル４は、温度センサ２に電源から電力を供給したり、温度センサ２が測定した温度や湿度等の測定データを送信してもよい。なお、ケーブル４を用いず、無線によって電力供給したり、測定データを送信してもよい。
【００２５】
温度センサ２は、居住者の邪魔になることを少なくし、日射やパソコン等の発熱体の影響も少なくするように天井パネルの近傍に設置することが好ましい。このような理由から、第１実施形態では、温度センサ２を床１３から2000mm以上に設置すればよい。この位置に温度センサ２を設置することによって、大空間の室内での居住域の温度を適切に検出することが可能となる。
【００２６】
また、センサ支持部３は、天井パネル部材支持部１５に直接又は間接的に支持されればよい。このようにセンサ支持部３を支持することによって、温度検出部１を室内から構造物に容易に取り付けることが可能となる。
【００２７】
なお、温度検出部１は、温度センサ２が適切な位置に配置されれば、センサ支持部材３を取付治具１６に対して、図３に示した水平方向に限らず、どのように取り付けてもよい。
【００２８】
図４は、第２実施形態の温度検出部取付構造１００を示す。
【００２９】
第２実施形態の温度検出部取付構造１００における構造物１０は、図１に示した天井側スラブ１１に取り付けられ、天井パネル部材１２を支持するＴバー等のパネル部材支持部１５と、パネル部材支持部１５に支持され、温度検出部１が取り付けられる取付治具１６と、を備える。なお、取付治具１６をパネル部材支持部１５と一体に形成してもよい。また、パネル部材支持部１５とは別に、取付治具１６を天井側スラブ１１に直接取り付けてもよい。
【００３０】
温度検出部１は、温度センサ２と、温度センサ２を支持するセンサ支持部材３と、温度センサ２につながるケーブル４と、を有する。温度センサ２は、センサ支持部材３の先端に取り付けられる。センサ支持部材３は、取付治具１６に取り付けられる。
【００３１】
第２実施形態のセンサ支持部材３は、上下方向に延びるように、取付治具１６に取り付けられる。ケーブル４は、温度センサ２に電源から電力を供給したり、温度センサ２が測定した温度や湿度等の測定データを送信してもよい。なお、ケーブル４を用いず、無線によって電力供給したり、測定データを送信してもよい。
【００３２】
温度センサ２は、居住者の邪魔になることを少なくし、日射やパソコン等の発熱体の影響も少なくするように天井パネルの近傍に設置することが好ましい。このような理由から、第２実施形態では、温度センサ２を床１３から2000mm以上に設置すればよい。この位置に温度センサ２を設置することによって、大空間の室内での居住域の温度を適切に検出することが可能となる。
【００３３】
また、センサ支持部３は、天井パネル部材支持部１５に直接又は間接的に支持されればよい。このようにセンサ支持部３を支持することによって、温度検出部１を室内から構造物に容易に取り付けることが可能となる。
【００３４】
なお、温度検出部１は、温度センサ２が適切な位置に配置されれば、センサ支持部材３を取付治具１６に対して、図４に示した上下方向に限らず、どのように取り付けてもよい。
【００３５】
図５は、天井に放射空調パネルを用いた夏期の室内の垂直温度分布を示す。図５（ａ）は、ペリメータの垂直温度分布、図５（ｂ）は、インテリアの垂直温度分布を示す。図６は、天井に放射空調パネルを用いた冬期の室内の垂直温度分布を示す。図６（ａ）は、ペリメータの垂直温度分布、図６（ｂ）は、インテリアの垂直温度分布を示す。
【００３６】
図５及び図６に示すように、天井パネル部材１２として放射空調パネル１２ａを用いた場合、室内の温度は、夏期冬期を問わず、インテリア及びペリメータ共に、床から天井の100mm程度下方までほぼ同一温度で分布している。しかしながら、天井から天井の100mm程度下方までの室内の温度は、大きく変化している。なお、放射空調パネル１２ａは、室内の天井全面に使用しても、一部に使用しても、どちらでもよい。
【００３７】
したがって、温度検出部１の温度センサ２は、放射空調パネル１２ａからある程度離間して配置されることが好ましい。本実施形態では、温度センサ２は、放射空調パネル１２ａからから100mmと床から2000mmとの間に配置されればよい。
【００３８】
この位置に温度センサ２を設置することによって、温度センサ２は、放射空調パネル１２ａから直接届く放射熱の影響を受けることが少なくなる。また、温度センサ２が居住者の邪魔になることが少なくなる。さらに、温度センサ２に対する日射やパソコン等の発熱体の影響も少なくすることができる。したがって、大空間の室内での居住域の温度を適切に検出することが可能となる。
【００３９】
図７は、第１実施形態の温度検出部１の他の例を示す。図７（ａ）は、第１実施形態の温度検出部１を側方から見た図である。図７（ｂ）は、第１実施形態の温度検出部１を正面から見た図である。
【００４０】
図７に示す温度検出部１は、温度センサ２をセンサ支持部材３の先端の下方側のみに支持した構造を有する。すなわち、センサ支持部材３が温度センサ２と放射空調パネル１２ａとの間に配置される。したがって、温度センサ２は、放射空調パネル１２ａから直接届く放射熱の影響を受けることが少なくなる。
【００４１】
センサ支持部材３の材料は、熱伝導率の低い樹脂等の材料を使用することが好ましい。熱伝導率の低い材料を使用することで、放射空調パネル１２ａから直接届く放射熱の影響と伝熱の影響を受けることがさらに少なくなる。
【００４２】
図８は、第１実施形態の温度検出部１に覆い部５を用いた例を示す。図８（ａ）は、覆い部５を用いた例を側方から見た図である。図８（ｂ）は、覆い部５を用いた例を正面から見た図である。
【００４３】
図８に示す温度検出部１は、温度センサ２と放射空調パネル１２ａの間に覆い部５を設けた例である。図８の例では、覆い部５は、正面から見て、温度センサ２の上方と両側方を覆うように設置されるが、少なくとも上方を覆うように設置されればよい。また、覆い部は、温度センサ２の先端側に設置してもよく、全体を覆うように設置してもよい。覆い部５は、センサ支持部材３に支持されればよい。
【００４４】
このように、覆い部５が温度センサ２と放射空調パネル１２ａとの間に配置されることによって、温度センサ２は、放射空調パネル１２ａから直接届く放射熱の影響を受けることが少なくなる。なお、温度センサ２は、図７に示したように、センサ支持部材３の先端の下方側のみに支持した構造でもよい。
【００４５】
センサ支持部材３及び覆い部５の材料は、熱伝導率及び放射率の低い樹脂等の材料を使用することが好ましい。熱伝導率の低い材料を使用することで、放射空調パネル１２ａから直接届く放射熱の影響を受けることがさらに少なくなる。
【００４６】
図９は、第２実施形態の温度検出部１に覆い部５を用いた例を示す。
【００４７】
図９に示す温度検出部１は、温度センサ２と放射空調パネル１２ａの間に覆い部５を設けた例である。図９の例では、覆い部５は、温度センサ２の上方を覆うように設置されるが、温度センサ２の側方を覆うように設置してもよく、全体を覆うように設置してもよい。覆い部５は、センサ支持部材３に支持されればよい。
【００４８】
このように、覆い部５が温度センサ２と放射空調パネル１２ａとの間に配置されることによって、温度センサ２は、放射空調パネル１２ａから直接届く放射熱の影響を受けることが少なくなる。
【００４９】
センサ支持部材３及び覆い部５の材料は、熱伝導率及び放射率の低い樹脂等の材料を使用することが好ましい。熱伝導率の低い材料を使用することで、放射空調パネル１２ａから直接届く放射熱の影響を受けることがさらに少なくなる。
【００５０】
以上、本実施形態の温度検出部取付構造１００は、温度センサ２と、温度センサ２を支持するセンサ支持部３と、を備える温度検出部１を構造物１０に取り付ける温度検出部取付構造１００であって、構造物１０は、天井側スラブ１１と、天井側スラブに取り付けられる天井パネル部材支持部１５と、天井パネル部材支持部１５に支持される天井パネル部材１２と、床１３と、を備え、センサ支持部３は、天井側スラブ１１に直接又は間接的に支持され、温度センサ２は、天井パネル部材１２の下方に突出し、床から2000mm以上に設置される。したがって、大空間の室内での居住域の温度を適切に検出することが可能となる。
【００５１】
また、本実施形態の温度検出部取付構造１００は、センサ支持部３は、天井パネル部材支持部１５に直接又は間接的に支持される。したがって、温度検出部１を室内から構造物に容易に取り付けることが可能となる。
【００５２】
また、本実施形態の温度検出部取付構造１００は、天井パネル部材１２は、放射空調パネル１２ａであって、温度センサ２は、放射空調パネル１２ａから100mmと床１３から2000mmとの間に設置される。したがって、温度センサ２は、放射空調パネル１２ａから直接届く放射熱の影響を受けることが少なくなる。また、温度センサ２が居住者の邪魔になることが少なくなる。さらに、温度センサ２に対する日射やパソコン等の発熱体の影響も少なくすることができる。
【００５３】
また、本実施形態の温度検出部取付構造１００は、センサ支持部３は、温度センサ２と放射空調パネル１２ａとの間に配置される。したがって、温度センサ２は、放射空調パネル１２ａから直接届く放射熱の影響を受けることがさらに少なくなる。
【００５４】
また、本実施形態の温度検出部取付構造１００は、温度センサ２と放射空調パネル１２ａとの間に設けられる覆い部５をさらに備える。したがって、温度センサ２は、放射空調パネル１２ａから直接届く放射熱の影響を受けることがさらに少なくなる。
【００５５】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更を加えてもよい。
【符号の説明】
【００５６】
１…温度検出部
２…温度センサ
３…センサ支持部材
４…ケーブル
５…覆い部
１１…天井側スラブ
１２…天井パネル部材
１２ａ…放射空調パネル
１３…床
１４…床側スラブ
２０…室内
２１…インテリア
２１ａ…居住域
２２…ペリメータ
【図１】
2018151135.tif 000003
【図２】
2018151135.tif 000004
【図３】
2018151135.tif 000005
【図４】
2018151135.tif 000006
【図５】
2018151135.tif 000007
【図６】
2018151135.tif 000008
【図７】
2018151135.tif 000009
【図８】
2018151135.tif 000010
【図９】
2018151135.tif 000011
【図１０】
2018151135.tif 000012